(57)【要約】【課題】  簡単な構成で会場等での個人情報や自己のアピール情報等の情報交換を効率良く行うことができるばかりか、受け取った各種情報がメモリに格納されることで各種情報の整理も容易に行うことができるようにする。【解決手段】  制御部１７により表示部１０ｃにモバイルメニューが表示され、キー操作部１０ｄのキー操作に応じてそのモバイルメニューに表示される所定の項目の選択が受け付けられ、選択された項目が各種情報の送信である場合、登録データ管理部１４により赤外線送信部１２から送信すべき各種情報がメモリ１５から読み出され、選択された項目が各種情報の受信である場合、登録データ管理部１４により赤外線受信部１３によって受信した各種情報がメモリ１５に格納されるようにした。【選択図】  図２
2006140672.tif 000002
【特許請求の範囲】
【請求項１】
少なくとも情報の送受信が可能な携帯用通信端末であって、
アンテナを介して通話やメールの送受信を行う無線通信部と、
文字入力や選択操作を行う複数のキーを有するキー操作部と、
前記キー操作部のキー操作に応じて、各種情報を赤外線によって送信する赤外線送信部と、
赤外線によって送信された前記各種情報を受信する赤外線受信部と、
前記各種情報及び制御に関わるプログラムを格納するメモリと、
前記各種情報を表示する表示部と、 
前記キー操作部によるキー操作に応じて前記赤外線送信部から送信すべき前記各種情報を前記メモリから読み出すとともに、前記赤外線受信部によって受信した前記各種情報を前記メモリに格納する登録データ管理部と、
前記制御に関わるプログラムに基づき、前記表示部にモバイルメニューを表示させ、前記キー操作部のキー操作に応じてそのモバイルメニューに表示される所定の項目の選択を受け付け、選択された項目に対応する操作を実行する制御部とを備える
ことを特徴とする携帯用通信端末。 
【請求項２】
前記登録データ管理部は、前記キー操作部のキー操作に応じて入力された文字と、前記赤外線受信部によって受信した各種情報と、前記無線通信部を介して受信したメール又は音声と、カメラによって撮像された画像とを前記メモリに格納し、さらに前記キー操作部のキー操作に応じて、前記赤外線送信部から送信すべき各種情報の全て又は一部を前記メモリから読み出すことを特徴とする請求項１に記載の携帯用通信端末。
【請求項３】
外部情報入力装置との間で、情報のやり取りを行うインタフェースを有し、
前記登録データ管理部は、前記インタフェースを介して前記外部情報入力装置より取り込んだ前記各種情報と追加編集による少なくとも年月日、場所、イベント名を示す付加情報とを前記メモリに格納し、前記インタフェースを介して前記外部情報入力装置へ送出すべき前記各種情報を前記メモリから読み出すことを特徴とする請求項１又は２に記載の携帯用通信端末。
【請求項４】
アンテナを介して通話やメールの送受信を行う無線通信部と、文字入力や選択操作を行う複数のキーを有するキー操作部と、前記キー操作部のキー操作に応じて、各種情報を赤外線によって送信する赤外線送信部と、赤外線によって送信された前記各種情報を受信する赤外線受信部と、前記各種情報、制御に関わるプログラム及び本人情報を格納するメモリと、前記各種情報を表示する表示部と、前記キー操作部によるキー操作に応じて前記赤外線送信部から送信すべき前記各種情報を前記メモリから読み出すとともに、前記赤外線受信部によって受信した前記各種情報を前記メモリに格納する登録データ管理部と、前記制御に関わるプログラムに基づき、前記表示部にモバイルメニューを表示させ、前記キー操作部のキー操作に応じてそのモバイルメニューに表示される所定の項目の選択を受け付け、選択された項目に対応する操作を実行する制御部とを有する携帯用通信端末と、
建物の出入り口近傍に設置された赤外線受信器と、
プリンタ付きモニタと、 
前記赤外線受信器及び前記プリンタ付きモニタに接続されるとともに、前記出入り口のドアの開錠に関わるセキュリティ管理を行うセキュリティ管理端末とを備え、
前記セキュリティ管理端末は、訪問者によって前記携帯用通信端末の前記赤外線送信部から前記赤外線受信器に向けて前記メモリに格納されている前記本人情報が送信されると、前記本人情報から予約済みかどうかを判断し、予約済みである場合、前記ドアを開錠し、前記プリンタ付きモニタから前記訪問者の本人情報と訪問先情報とをプリントした用紙を排出し、予約済みでないと判断した場合、前記プリンタ付きモニタの表示部に受信した本人情報と訪問先案内とを表示し、訪問先からの訪問許可が出た場合は前記ドアの開錠と前記プリントした用紙の排出とを行い、訪問許可が出ない場合、前記プリンタ付きモニタの表示部にお断りの連絡を表示する
ことを特徴とするセキュリティシステム。
【請求項５】
アンテナを介して通話やメールの送受信を行う無線通信部と、文字入力や選択操作を行う複数のキーを有するキー操作部と、前記キー操作部のキー操作に応じて、各種情報を赤外線によって送信する赤外線送信部と、赤外線によって送信された前記各種情報を受信する赤外線受信部と、前記各種情報、制御に関わるプログラム及び本人情報を格納するメモリと、前記各種情報を表示する表示部と、前記キー操作部によるキー操作に応じて前記赤外線送信部から送信すべき前記各種情報を前記メモリから読み出すとともに、前記赤外線受信部によって受信した前記各種情報を前記メモリに格納する登録データ管理部と、前記制御に関わるプログラムに基づき、前記表示部にモバイルメニューを表示させ、前記キー操作部のキー操作に応じてそのモバイルメニューに表示される所定の項目の選択を受け付け、選択された項目に対応する操作を実行する制御部とを有する携帯用通信端末と、
前記携帯用通信端末の前記赤外線送信部から送信される前記本人情報を受信する受信器と、受信した本人情報の認証を行う認証機能部とが搭載されている外部情報入力装置とを備え、
前記外部情報入力装置は、電源が立ち上げられると、最初に赤外線受信待ちのソフトが立ち上がり、赤外線受信待ち状態でロックされ、前記携帯用通信端末の前記赤外線送信部から前記メモリに格納されている前記本人情報が送信されると、前記認証機能部により前記本人情報の認証が行われ、前記本人情報が一致した場合は前記ロックが解除される
ことを特徴とするセキュリティシステム。
【請求項６】
少なくとも情報の送受信が可能な携帯用通信端末における情報交換方法であって、
キー操作に応じて、メモリに格納されている各種情報を赤外線により送信する工程と、
赤外線によって送信された前記各種情報を受信する工程と、
前記キー操作に応じて前記赤外線により送信すべき前記各種情報を前記メモリから読み出すとともに、前記赤外線によって受信した前記各種情報を前記メモリに格納する工程と、
制御に関わるプログラムに基づき、モバイルメニューを表示させ、前記キー操作に応じてそのモバイルメニューに表示される所定の項目の選択を受け付け、選択された項目に対応する操作を実行する工程とを有する
ことを特徴とする携帯用通信端末における情報交換方法。
【請求項７】
前記キー操作に応じて入力された文字と、前記赤外線によって受信した各種情報と、通話機能やメール機能により受信したメール又は音声と、カメラによって撮像された画像とを前記メモリに格納し、さらに前記キー操作に応じて、送信すべき前記各種情報の全て又は一部を前記メモリから読み出す工程を有することを特徴とする請求項６に記載の携帯用通信端末における情報交換方法。
【請求項８】
インタフェースを介して外部情報入力装置より取り込んだ前記各種情報と追加編集による少なくとも年月日、場所、イベント名を示す付加情報とを前記メモリに格納し、前記インタフェースを介して前記外部情報入力装置へ送出すべき前記各種情報を前記メモリから読み出す工程を有することを特徴とする請求項６又は７に記載の携帯用通信端末における情報交換方法。
【請求項９】
訪問者による携帯用通信端末のキー操作に応じて、メモリに格納されている本人情報を赤外線により送信する工程と、
前記本人情報から予約済みかどうかを判断する工程と、
予約済みであると判断した場合、ドアを開錠し、プリンタ付きモニタから前記訪問者の本人情報と訪問先情報とをプリントした用紙を排出させる工程と、
予約済みでないと判断した場合、前記プリンタ付きモニタの表示部に受信した本人情報と訪問先案内とを表示させ、訪問先からの訪問許可が出た場合は前記ドアの開錠と前記プリントした用紙の排出とを行い、訪問許可が出ない場合、前記プリンタ付きモニタの表示部にお断りの連絡を表示する工程とを有する
ことを特徴とするセキュリティ方法。 
【請求項１０】
携帯用通信端末のキー操作に応じて、メモリに格納されている本人情報を赤外線により送信する工程と、
前記赤外線により送信される前記本人情報を受信する工程と、
受信した本人情報の認証を行う工程と、 
電源が立ち上げられると、最初に赤外線受信待ちのソフトを立ち上げ、赤外線受信待ち状態でロックし、前記本人情報の認証により、前記本人情報が一致した場合は前記ロックを解除する工程とを有する
ことを特徴とするセキュリティ方法。 
【発明の詳細な説明】
【技術分野】
【０００１】
本発明は、たとえば個人情報や自己のアピール情報等の情報交換が可能な携帯用通信端末に関する。
【背景技術】
【０００２】
従来より、会場等での個人情報や自己のアピール情報の交換は、名刺やプリントした用紙を交換することで行われている。この場合、大勢の人との交換があるとき、名刺が不足したり、名刺だけの交換では伝えたいアピール内容や顔を思い出してもらえないことがもある。また、プリントした用紙が不足してしまうことや、取得年月日や取得会場等が不明で思い出せないことがある。
【０００３】
このように、名刺が不足したり、プリントした用紙が不足してしまうと、その場で自分の名前やアピール情報が相手に記憶してもらえなかったり、名刺の情報だけでは効果的な情報を上手く活用してもらえなかったりすることがある。
【０００４】
しかも、名刺やプリントした用紙での交換では、相手の個人情報やアピール情報を自分のパソコン等に保管する際、名刺やプリントした用紙の内容を確認しながら入力する必要があり、時間や手間が掛かるので情報整理が困難である。この場合、個人情報や自己のアピール情報を記録したカード型ミニＣＤによって交換することも可能であるが、カード型ミニＣＤへの情報記録が煩雑となるばかりか、費用がかかり、しかも持ち運びの際に嵩張る等の問題がある。
【０００５】
ちなみに、ユーザ間での情報交換を行うようにしたものとして、特許文献１では、ユーザ端末装置と、ネットワークアクセス装置と、認証装置と、予め登録されたユーザの個人情報及びユーザ自身が定義したユーザ個人情報の取り扱い方法に関するポリシー情報を管理するユーザデータベース装置と、ユーザ端末装置にメッセージを配信するメッセージ提供装置とを有し、メッセージ提供装置は、認証装置によりネットワークの使用可と認証されたユーザの個人情報及びポリシー情報をユーザデータベース装置より検索し、ユーザの個人情報のマッチングを行い、個人情報の少なくとも一部が一致する各ユーザに、ポリシー情報に従って加工した個人情報を通信相手先のユーザに配信するようにしたメッセージ交換システムを提案している。
【特許文献１】特開２００４−２８２１５８号公報
【発明の開示】
【発明が解決しようとする課題】
【０００６】
ところが、特許文献１によるメッセージ交換システムでは、個人情報をネットワークを介して配信することで、受け取った情報の整理が容易に行えるが、メッセージ提供装置により、認証装置によってネットワークの使用可と認証されたユーザの個人情報及びポリシー情報をユーザデータベース装置より検索し、ユーザの個人情報のマッチングを行い、個人情報の少なくとも一部が一致する各ユーザに、ポリシー情報に従って加工した個人情報を通信相手先のユーザに配信するようにした構成であるため、システムが大がかりとなってしまうばかりか、会場等での個人情報や自己のアピール情報等の情報交換を行うことが困難である。
【０００７】
解決しようとする問題点は、個人情報をネットワークを介して配信することで、受け取った情報の整理が容易に行えるが、システムが大がかりになってしまうばかりか、会場等での個人情報や自己のアピール情報等の情報交換を行うことが困難となるという点である。
【課題を解決するための手段】
【０００８】
本発明の携帯用通信端末は、少なくとも情報の送受信が可能な携帯用通信端末であって、アンテナを介して通話やメールの送受信を行う無線通信部と、文字入力や選択操作を行う複数のキーを有するキー操作部と、前記キー操作部のキー操作に応じて、各種情報を赤外線によって送信する赤外線送信部と、赤外線によって送信された前記各種情報を受信する赤外線受信部と、前記各種情報及び制御に関わるプログラムを格納するメモリと、前記各種情報を表示する表示部と、前記キー操作部によるキー操作に応じて前記赤外線送信部から送信すべき前記各種情報を前記メモリから読み出すとともに、前記赤外線受信部によって受信した前記各種情報を前記メモリに格納する登録データ管理部と、前記制御に関わるプログラムに基づき、前記表示部にモバイルメニューを表示させ、前記キー操作部のキー操作に応じてそのモバイルメニューに表示される所定の項目の選択を受け付け、選択された項目に対応する操作を実行する制御部とを備えることを特徴とする。
また、前記登録データ管理部は、前記キー操作部のキー操作に応じて入力された文字と、前記赤外線受信部によって受信した各種情報と、前記無線通信部を介して受信したメール又は音声と、カメラによって撮像された画像とを前記メモリに格納し、さらに前記キー操作部のキー操作に応じて、前記赤外線送信部から送信すべき各種情報の全て又は一部を前記メモリから読み出すようにすることができる。
また、外部情報入力装置との間で、情報のやり取りを行うインタフェースを有し、前記登録データ管理部は、前記インタフェースを介して前記外部情報入力装置より取り込んだ前記各種情報と追加編集による少なくとも年月日、場所、イベント名を示す付加情報とを前記メモリに格納し、前記インタフェースを介して前記外部情報入力装置へ送出すべき前記各種情報を前記メモリから読み出すようにすることができる。
本発明のセキュリティシステムは、アンテナを介して通話やメールの送受信を行う無線通信部と、文字入力や選択操作を行う複数のキーを有するキー操作部と、前記キー操作部のキー操作に応じて、各種情報を赤外線によって送信する赤外線送信部と、赤外線によって送信された前記各種情報を受信する赤外線受信部と、前記各種情報、制御に関わるプログラム及び本人情報を格納するメモリと、前記各種情報を表示する表示部と、前記キー操作部によるキー操作に応じて前記赤外線送信部から送信すべき前記各種情報を前記メモリから読み出すとともに、前記赤外線受信部によって受信した前記各種情報を前記メモリに格納する登録データ管理部と、前記制御に関わるプログラムに基づき、前記表示部にモバイルメニューを表示させ、前記キー操作部のキー操作に応じてそのモバイルメニューに表示される所定の項目の選択を受け付け、選択された項目に対応する操作を実行する制御部とを有する携帯用通信端末と、建物の出入り口近傍に設置された赤外線受信器と、プリンタ付きモニタと、前記赤外線受信器及び前記プリンタ付きモニタに接続されるとともに、前記出入り口のドアの開錠に関わるセキュリティ管理を行うセキュリティ管理端末とを備え、前記セキュリティ管理端末は、訪問者によって前記携帯用通信端末の前記赤外線送信部から前記赤外線受信器に向けて前記メモリに格納されている前記本人情報が送信されると、前記本人情報から予約済みかどうかを判断し、予約済みである場合、前記ドアを開錠し、前記プリンタ付きモニタから前記訪問者の本人情報と訪問先情報とをプリントした用紙を排出し、予約済みでないと判断した場合、前記プリンタ付きモニタの表示部に受信した本人情報と訪問先案内とを表示し、訪問先からの訪問許可が出た場合は前記ドアの開錠と前記プリントした用紙の排出とを行い、訪問許可が出ない場合、前記プリンタ付きモニタの表示部にお断りの連絡を表示することを特徴とする。
本発明のセキュリティシステムは、アンテナを介して通話やメールの送受信を行う無線通信部と、文字入力や選択操作を行う複数のキーを有するキー操作部と、前記キー操作部のキー操作に応じて、各種情報を赤外線によって送信する赤外線送信部と、赤外線によって送信された前記各種情報を受信する赤外線受信部と、前記各種情報、制御に関わるプログラム及び本人情報を格納するメモリと、前記各種情報を表示する表示部と、前記キー操作部によるキー操作に応じて前記赤外線送信部から送信すべき前記各種情報を前記メモリから読み出すとともに、前記赤外線受信部によって受信した前記各種情報を前記メモリに格納する登録データ管理部と、前記制御に関わるプログラムに基づき、前記表示部にモバイルメニューを表示させ、前記キー操作部のキー操作に応じてそのモバイルメニューに表示される所定の項目の選択を受け付け、選択された項目に対応する操作を実行する制御部とを有する携帯用通信端末と、前記携帯用通信端末の前記赤外線送信部から送信される前記本人情報を受信する受信器と、受信した本人情報の認証を行う認証機能部とが搭載されている外部情報入力装置とを備え、前記外部情報入力装置は、電源が立ち上げられると、最初に赤外線受信待ちのソフトが立ち上がり、赤外線受信待ち状態でロックされ、前記携帯用通信端末の前記赤外線送信部から前記メモリに格納されている前記本人情報が送信されると、前記認証機能部により前記本人情報の認証が行われ、前記本人情報が一致した場合は前記ロックが解除されることを特徴とする。
本発明の携帯用通信端末における情報交換方法は、少なくとも情報の送受信が可能な携帯用通信端末における情報交換方法であって、キー操作に応じて、メモリに格納されている各種情報を赤外線により送信する工程と、赤外線によって送信された前記各種情報を受信する工程と、前記キー操作に応じて前記赤外線により送信すべき前記各種情報を前記メモリから読み出すとともに、前記赤外線によって受信した前記各種情報を前記メモリに格納する工程と、制御に関わるプログラムに基づき、モバイルメニューを表示させ、前記キー操作に応じてそのモバイルメニューに表示される所定の項目の選択を受け付け、選択された項目に対応する操作を実行する工程とを有することを特徴とする。
また、前記キー操作に応じて入力された文字と、前記赤外線によって受信した各種情報と、通話機能やメール機能により受信したメール又は音声と、カメラによって撮像された画像とを前記メモリに格納し、さらに前記キー操作に応じて、送信すべき前記各種情報の全て又は一部を前記メモリから読み出す工程を有するようにすることができる。
また、インタフェースを介して外部情報入力装置より取り込んだ前記各種情報と追加編集による少なくとも年月日、場所、イベント名を示す付加情報とを前記メモリに格納し、前記インタフェースを介して前記外部情報入力装置へ送出すべき前記各種情報を前記メモリから読み出す工程を有するようにすることができる。
本発明のセキュリティ方法は、訪問者による携帯用通信端末のキー操作に応じて、メモリに格納されている本人情報を赤外線により送信する工程と、前記本人情報から予約済みかどうかを判断する工程と、予約済みであると判断した場合、ドアを開錠し、プリンタ付きモニタから前記訪問者の本人情報と訪問先情報とをプリントした用紙を排出させる工程と、予約済みでないと判断した場合、前記プリンタ付きモニタの表示部に受信した本人情報と訪問先案内とを表示させ、訪問先からの訪問許可が出た場合は前記ドアの開錠と前記プリントした用紙の排出とを行い、訪問許可が出ない場合、前記プリンタ付きモニタの表示部にお断りの連絡を表示する工程とを有することを特徴とする。
本発明のセキュリティ方法は、携帯用通信端末のキー操作に応じて、メモリに格納されている本人情報を赤外線により送信する工程と、前記赤外線により送信される前記本人情報を受信する工程と、受信した本人情報の認証を行う工程と、電源が立ち上げられると、最初に赤外線受信待ちのソフトを立ち上げ、赤外線受信待ち状態でロックし、前記本人情報の認証により、前記本人情報が一致した場合は前記ロックを解除する工程とを有することを特徴とする。
本発明の携帯用通信端末では、制御部により表示部にモバイルメニューが表示され、キー操作部のキー操作に応じてそのモバイルメニューに表示される所定の項目の選択が受け付けられ、選択された項目が各種情報の送信である場合、登録データ管理部により赤外線送信部から送信すべき各種情報がメモリから読み出され、選択された項目が各種情報の受信である場合、登録データ管理部により赤外線受信部によって受信した各種情報がメモリに格納される。
【発明の効果】
【０００９】
本発明の携帯用通信端末によれば、制御部により表示部にモバイルメニューが表示され、キー操作部のキー操作に応じてそのモバイルメニューに表示される所定の項目の選択が受け付けられ、選択された項目が各種情報の送信である場合、登録データ管理部により赤外線送信部から送信すべき各種情報がメモリから読み出され、選択された項目が各種情報の受信である場合、登録データ管理部により赤外線受信部によって受信した各種情報がメモリに格納されるようにしたので、簡単な構成で会場等での個人情報や自己のアピール情報等の情報交換をデジタル情報で行うことができるばかりか、受け取った各種情報がメモリに格納されることで各種情報の整理も容易に行うことができる。また、交換した情報がデジタル情報であるため、個人情報や自己のアピール情報等の変更が生じた場合、すぐに変更を行うことができる。
【発明を実施するための最良の形態】
【００１０】
本実施形態での携帯用通信端末では、制御部により表示部にモバイルメニューが表示され、キー操作部のキー操作に応じてそのモバイルメニューに表示される所定の項目の選択が受け付けられ、選択された項目が各種情報の送信である場合、登録データ管理部によりメモリから読み出された各種情報が赤外線送信部から送信し、選択された項目が各種情報の受信である場合、登録データ管理部により赤外線受信部によって受信した各種情報がメモリに格納されるようにし、簡単な構成で会場等での個人情報や自己のアピール情報等の情報交換を行うことができるようにするとともに、受け取った各種情報と同時に必要であれば少なくとも年月日、場所、イベント名等の付加情報の追加編集を受け付けてメモリに格納することで各種情報の整理も容易に行えるようにした。
【００１１】
以下、本発明の実施の形態について説明する。
（実施形態１） 
図１は、本発明の携帯用通信端末の実施形態１を示す図、図２は、図１の携帯用通信端末の内部構成を示す図、図３及び図４は、図１の携帯用通信端末における情報交換方法を説明するためのフローチャートである。
【００１２】
図１に示すように、携帯用通信端末としての携帯電話１０Ａ〜１０Ｄは、通常の通話機能やメール機能等を有するとともに、赤外線通信により情報の交換を行う機能等を有している。携帯用通信端末としては、携帯電話１０Ａ〜１０Ｄに限らず、情報の送受信が可能なＰＤＡ、ノートパソコン等であってもよい。
【００１３】
携帯電話１０Ａ〜１０Ｄの電話本体１０には、アンテナ１０ａ、スピーカ１０ｂ、表示部１０ｃ、キー操作部１０ｄ、マイク１０ｅが設けられている。
【００１４】
アンテナ１０ａは、図示しない基地局との間で、信号のやり取りを行う。スピーカ１０ｂは、音声を出力する。表示部１０ｃは、文字、画像等の各種情報を表示する。キー操作部１０ｄは、数字キー、文字キー、各種機能キー等の複数のキーを有している。マイク１０ｅは、音声を取り込む。
【００１５】
電話本体１０内部には、図２に示すように、無線通信部１１、赤外線送信部１２、赤外線受信部１３、登録データ管理部１４、メモリ１５、インタフェース（Ｉ／Ｆ）１６、制御部１７が設けられている。
【００１６】
無線通信部１１は、アンテナ１０ａを介して通話やメールの送受信等を行う。赤外線送信部１２は、キー操作部１０ｄのキー操作に応じて、各種情報を赤外線によって送信する。各種情報としては、個人情報、自己のアピール情報、画像情報リンク先アドレス、音声情報リンク先アドレス、地図情報リンク先アドレス等である。赤外線受信部１３は、赤外線によって送信された上述の各種情報を受信する。
【００１７】
登録データ管理部１４は、キー操作部１０ｄのキー操作に応じて入力された文字をメモリ１５に格納したり、無線通信部１１を介して受信したメール又は音声をメモリ１５に格納したりする。また、登録データ管理部１４は、図示しないカメラによって撮像された画像をメモリ１５に格納したりする。また、登録データ管理部１４は、キー操作部１０ｄのキー操作に応じて、赤外線送信部１２から送信すべき各種情報をメモリ１５から読み出したり、赤外線受信部１３によって受信した各種情報をメモリ１５に格納したりする。
【００１８】
また、登録データ管理部１４は、インタフェース（Ｉ／Ｆ）１６を介してパソコン等の外部情報入力装置より取り込んだ各種情報をメモリ１５に格納したり、インタフェース（Ｉ／Ｆ）１６を介してパソコン等の外部情報入力装置へ送出すべき各種情報をメモリ１５から読み出したりする。なお、各種情報の送信や受信に関わる操作にあっては、表示部１０ｃにモバイルメニューが表示され、そのモバイルメニューに表示される所定の項目を選択することで、実行されるようになっている。また、各種情報の送信や受信に関わる操作にあっては、キー操作部１０ｄのそれぞれのキーに各種情報の送信や受信に関わる機能を割り当てるようにしてもよい。
【００１９】
メモリ１５には、個人情報、自己のアピール情報、画像情報、音声情報等の各種情報や制御部１７による制御に関わるプログラム等が格納されている。インタフェース（Ｉ／Ｆ）１６は、パソコン等の外部情報入力装置によって作成した上述の各種情報を取り込んだり、その外部情報入力装置へメモリ１５内に格納されている上述した各種を送出したりする。
【００２０】
制御部１７は、メモリ１５に格納されている制御に関わるプログラムに基づいて、各部の動作を制御する。また、制御部１７は、各種情報の送信や受信に関わる操作が行われるとき、表示部１０ｃにモバイルメニューを表示させ、そのモバイルメニューに表示される所定の項目の選択を受け付けて、選択された項目に対応する操作を実行するようになっている。また、制御部１７は、キー操作部１０ｄのそれぞれのキーに各種情報の送信や受信に関わる機能が割り当てられているとき、それぞれのキーに対応する操作を実行するようになっている。
【００２１】
ここで、モバイルメニューの項目としては、たとえばパソコン等からの情報をダウンロードする際に選択するダウンロード、アピール情報等を作成する際に選択する作成、情報を送信する際に選択する送信、情報を受信する際に選択する受信、受信した情報に付加情報を追加するかどうかの選択を行う付加情報追加、付加情報の追加編集を行う際に選択する追加編集、付加情報の作成を行う際に選択する付加情報作成、取り込んだ情報を編集する際に選択する編集、格納されている情報を閲覧する際に選択する情報閲覧等とすることができる。
【００２２】
次に、情報交換方法について説明する。なお、以下においては、携帯電話１０Ａ〜１０Ｄの機能がほぼ同じであるため、説明の便宜上、携帯電話１０Ａから携帯電話１０Ｂ〜１０Ｄのいずれかに情報が送信されるものとして説明するものとする。
【００２３】
まず、情報の作成と送信とを行う場合について説明すると、情報の作成を行う場合、パソコン又は携帯電話１０Ａで行うことができるが、図３に示すように、たとえばパソコンによって情報を作成する場合（ステップＳ１）、そのパソコンによってたとえば自己のアピール情報を作成する（ステップＳ２）。
【００２４】
次いで、アピール情報の作成が完了した後、インタフェース（Ｉ／Ｆ）１６を介し、パソコンと携帯電話１０Ａと接続されている状態において、携帯電話１０Ａの表示部１０ｃにモバイルメニューを表示させ、その中のダウンロードを選択することで、パソコンで作成した自己のアピール情報をダウンロードしメモリ１５に格納することができる（ステップＳ３，Ｓ４）。
【００２５】
これに対し、携帯電話１０Ａによって上記同様に、アピール情報を作成する場合、その表示部１０ｃに表示されるモバイルメニューから作成を選択することで（ステップＳ５）、アピール情報を作成することができる（ステップＳ６）。そして、作成したアピール情報はメモリ１５に格納される（ステップＳ４）。
【００２６】
次いで、作成したアピール情報を携帯電話１０Ｂ〜１０Ｄのいずれかの携帯電話に送信する場合、携帯電話１０Ａの表示部１０ｃに表示されるモバイルメニューから送信を選択する（ステップＳ７）。
【００２７】
ここで、送信を選択すると、表示部１０ｃに、メモリ１５に格納されている全ての情報を送信するか、又は一部の情報を送信するかの選択項目が表示され、全ての情報を送信するを選択すると（ステップＳ８）、全ての情報がいずれかの携帯電話１０Ｂ〜１０Ｄに送信される（ステップＳ９，Ｓ１１）。これに対し、一部の情報を送信するを選択すると、所定の情報のみがいずれかの携帯電話１０Ｂ〜１０Ｄに送信される（ステップＳ１０，Ｓ１１）。ここで、情報の送信は、上述した赤外線送信部１２によって行われる。
【００２８】
次に、携帯電話１０Ａからの情報を、携帯電話１０Ｂ〜１０Ｄのいずれかが受信する場合について説明する。まず、図４に示すように、いずれかの携帯電話１０Ｂ〜１０Ｄの表示部１０ｃに上述したモバイルメニューを表示させ、その中から受信を選択すると、上述した赤外線送信部１２によって送信される情報が赤外線受信部１３によって受信される（ステップＳ１，Ｓ２）。
【００２９】
ここで、受信した情報に付加情報を追加するかどうかの選択は、携帯電話１０Ｂ〜１０Ｄのいずれかで付加情報作成時に付加情報の付加をコントロールとして選択しておく。いずれかの携帯電話１０Ｂ〜１０Ｄの受信時に付加情報の付加のコントロールが選択されているとき（ステップＳ３）、受信した情報に付加情報を追加編集することができ（ステップＳ４）、追加編集された情報がメモリ１５に格納される（ステップＳ５）。これに対し、付加情報の追加が必要なければ、追加編集されない情報がメモリ１５に格納される（ステップＳ５）。
【００３０】
ここで、付加情報の追加編集を行う場合、いずれかの携帯電話１０Ｂ〜１０Ｄの表示部１０ｃに表示されるモバイルメニューから付加情報の作成を選択することで、たとえばイベント、年月日、会場等を付加情報として作成することができる。このように、付加情報を追加又は編集することで、受け取った情報の管理がし易くなる。
【００３１】
なお、受信した情報については、携帯電話１０Ａを含め、いずれかの携帯電話１０Ｂ〜１０Ｄのメモリ１５又はいずれかの携帯電話１０Ａ〜１０Ｄに接続されるパソコンに格納することができるが、メモリ１５又はパソコンに格納した情報の編集は次のようにして行うことが可能である。
【００３２】
まず、たとえばパソコンに格納されているたとえばアピール情報を編集するとき、必要なアピール情報をパソコンから抽出し、その抽出したアピール情報をいずれかの携帯電話１０Ａ〜１０Ｄに取り込むようにする。次いで、取り込んだアピール情報に対してコメントを付加したい場合は、いずれかの携帯電話１０Ａ〜１０Ｄの表示部１０ｃに表示されるモバイルメニューから編集を選択し、任意のコメントを入力すると、取り込んだアピール情報に任意のコメントが付加されてメモリ１５に格納される。ここで、任意のコメントとしては、任意の内容に加え、アポイント情報や印象等を含むことができる。
【００３３】
また、メモリ１５に格納された情報は、いずれかの携帯電話１０Ａ〜１０Ｄの表示部１０ｃに表示されるモバイルメニューから情報閲覧を選択するか、又は検索したい相手の名前（たとえばカタカナ１文字等）を入力することで、閲覧することが可能となる。
【００３４】
また、メモリ１５に格納された情報を呼び出し、その呼び出した情報に含まれる電話番号を用いて、相手に電話したり、メールを送信したりすることも可能である。また、相手から受け取ったたとえば相手の静止画及び動画画像や地図情報のリンク先アドレスから情報を関連付けて取得し、いずれかの携帯電話１０Ａ〜１０Ｄの表示部１０ｃに表示することも可能である。
【００３５】
このように、実施形態１では、制御部１７により表示部１０ｃにモバイルメニューが表示され、キー操作部１０ｄのキー操作に応じてそのモバイルメニューに表示される所定の項目の選択が受け付けられ、選択された項目が各種情報の送信である場合、登録データ管理部１４により赤外線送信部１２から送信すべき各種情報がメモリ１５から読み出され、選択された項目が各種情報の受信である場合、登録データ管理部１４により赤外線受信部１３によって受信した各種情報がメモリ１５に格納されるようにしたので、簡単な構成で会場等での個人情報や自己のアピール情報等の情報交換を効率良く行うことができるばかりか、受け取った各種情報がメモリに格納されることで各種情報の整理も容易に行うことができる。
（実施形態２） 
図５は、図１の携帯用通信端末を利用した場合の実施形態２に係るセキュリティシステムの概要を説明するための図であり、図６は、図５のセキュリティシステムにおけるセキュリティ方法を示すフローチャートである。
【００３６】
実施形態２では、上述した携帯電話１０Ａ〜１０Ｄのいずれかのメモリ１５に格納されている個人情報を本人情報として用い、たとえば企業やマンション等の建物での入室の際のセキュリティ管理に利用した場合のセキュリティシステムを示している。なお、以下においては、携帯電話１０Ａを代表させて説明するものとする。
【００３７】
すなわち、セキュリティシステムは、たとえば図５に示すように、携帯電話１０Ａと、企業やマンション等の建物の出入り口近傍に設置された赤外線受信器２０及びプリンタ付きモニタ２１と、これら赤外線受信器２０及びプリンタ付きモニタ２１に接続され、入室の際のセキュリティ管理を行う図示しないセキュリティ管理端末とを備えている。プリンタ付きモニタ２１としては、少なくとも表示部２２と印字された用紙が出力されるプリント出力口２３とが設けられていればよい。
【００３８】
このような構成では、訪問者が上述した携帯電話１０Ａの赤外線送信部１２から、図６に示すように、赤外線受信器２０に向けて本人情報を送信する（ステップＳ１）。受け取った本人情報は、たとえば受け付け等に設置されるとともに、赤外線受信器２０及びプリンタ付きモニタ２１に接続される図示しない端末によって予約済みかどうかがセキュリティ管理端末により判断され（ステップＳ２）、予約済みと判断された場合、セキュリティ管理端末により、受付窓口や訪問先等に設置されている端末に社内ラン等によってメールが配信される（ステップＳ３）。
【００３９】
また、予約済みと判断された場合、セキュリティ管理端末により、ドアが開錠されるとともに、プリンタ付きモニタ２１のプリント出力口２３から訪問者の本人情報と訪問先情報とがプリントされた用紙が排出される（ステップＳ４，Ｓ５）。そして、訪問者がその用紙を訪問先に提出することで、訪問者の確認が行われる（ステップＳ６）。
【００４０】
一方、セキュリティ管理端末により、予約済みでないと判断された場合、プリンタ付きモニタ２１の表示部２２に受信した本人情報と訪問先案内が表示される（ステップＳ７）。ここで、訪問者が訪問先を入力すると（ステップＳ８）、セキュリティ管理端末により、受付窓口や訪問先等へに設置されている端末に社内ラン等によってメールが配信される（ステップＳ９）。
【００４１】
そして、訪問許可が出た場合は（ステップＳ１０）、セキュリティ管理端末により、ドアが開錠されるとともに、プリンタ付きモニタ２１のプリント出力口２３から訪問者の本人情報と訪問先情報とがプリントされた用紙が排出される（ステップＳ４，Ｓ５）。これに対し、セキュリティ管理端末により、訪問許可が出ない場合、プリンタ付きモニタ２１の表示部２２にお断りの連絡が表示される（ステップＳ１１）。
【００４２】
このように、実施形態２では、訪問者によって携帯電話１０Ａの赤外線送信部１２から赤外線受信器２０に向けてメモリ１５に格納されている本人情報が送信されると、セキュリティ管理端末により本人情報から予約済みかどうかを判断し、予約済みである場合、ドアを開錠し、プリンタ付きモニタ２１のプリント出力口２３から訪問者の本人情報と訪問先情報とをプリントした用紙を排出し、予約済みでないと判断した場合、プリンタ付きモニタ２１の表示部２２に受信した本人情報と訪問先案内とを表示し、訪問先からの訪問許可が出た場合はドアの開錠とプリントした用紙の排出とを行い、訪問許可が出ない場合、プリンタ付きモニタ２１の表示部２２にお断りの連絡を表示するようにしたので、たとえば企業やマンション等の建物での入室の際のセキュリティ管理を高めることができる。
【００４３】
また、訪問者からの本人情報に基づいてプリントされた用紙がプリンタ付きモニタ２１のプリント出力口２３から排出されるため、訪問者がその用紙を受付に手渡すことで、受付で記入が必要である場合、その記入を省くことができる。
【００４４】
また、訪問先が不在である場合は、その用紙に伝言を記述して受付に手渡すことで、訪問先に伝言を確実に伝えることが可能となり、訪問効果を上げることもできる。
【００４５】
（実施形態３）   
図７は、図１の携帯用通信端末を利用した場合の実施形態３を説明するためのフローチャートである。
【００４６】
実施形態３では、上述した携帯電話１０Ａ〜１０Ｄにおけるメモリ１５に格納されている個人情報を本人情報として用いることで、たとえばパソコンの情報の漏洩防止に利用することができる場合を示している。
【００４７】
すなわち、セキュリティシステムは、上述したいずれかの携帯電話１０Ａ〜１０Ｄと、図示しないパソコン等の外部情報入力装置とを備えている。パソコンには、いずれかの携帯電話１０Ａ〜１０Ｄの赤外線送信部１２から送信される本人情報を受信する図示しない受信器と、受信した本人情報の認証を行う図示しない認証機能部とが搭載されているものとする。
【００４８】
そして、たとえば図７に示すように、パソコンの電源を立ち上げると、最初に赤外線受信待ちのソフトが立ち上がる（ステップＳ１，Ｓ２）。ここで、パソコンは、赤外線受信待ち状態でロックされ（ステップＳ３）、いずれかの携帯電話１０Ａ〜１０Ｄから本人情報が送信されると（ステップＳ４）、本人情報の認証が行われる（ステップＳ５）。
【００４９】
そして、本人情報が一致した場合はパソコンの使用が許可されるが（ステップＳ６）、本人情報が一致しなかった場合は、（ステップＳ３）での赤外線受信待ち状態でロックされ続ける。
【００５０】
なお、パソコンの使用が許可された後、パソコンから離れる場合は、ログアウトすることで、たとえば（ステップＳ３）での赤外線受信待ち状態でロックされ続ける動作に移行させることができる。
【００５１】
このように、実施形態３では、パソコン等の外部情報入力装置に、たとえば携帯電話１０Ａの赤外線送信部１２から送信される本人情報を受信する受信器と、受信した本人情報の認証を行う認証機能部とを搭載し、電源が立ち上げられると、最初に赤外線受信待ちのソフトが立ち上がり、赤外線受信待ち状態でロックされ、携帯電話１０Ａの赤外線送信部１２からメモリ１５に格納されている本人情報が送信され、認証機能部により本人情報の認証が行われ、本人情報が一致した場合はロックが解除されるようにしたので、たとえば携帯電話１０Ａからの本人情報から本人であるかどうかの認証を確実に行うことができることから、たとえばパソコンの情報の漏洩防止に極めて有効となる。
【００５２】
すなわち、従来のＩＤとパスワードによる本人確認では、ＩＤとパスワードとが盗まれてしまうと他人が本人になりすますことで、本人確認が困難となる場合があるが、たとえば携帯電話１０Ａのメモリ１５に格納されている本人情報を用いるようにすると、その本人情報の盗難が困難となり、結果的に、本人確認が確実に行われることになる。
【００５３】
また、このような本人確認の方式は、パソコン等の外部情報入力装置に、たとえば携帯電話１０Ａの赤外線送信部１２から送信される本人情報を受信する受信器と、受信した本人情報の認証を行える認証機能とが搭載されていればよいため、指紋認証のように、指紋認証を行う機器を外付けする場合等に比べ、低コストでの利用が可能となる。
【産業上の利用可能性】
【００５４】
家電製品等の遠隔操作を個人情報を用いて行うようなシステムにも適用可能である。
【図面の簡単な説明】
【００５５】
【図１】本発明の携帯用通信端末の一実施形態を示す図である。
【図２】図１の携帯用通信端末の内部構成を示す図である。
【図３】図１の携帯用通信端末における情報交換方法を説明するためのフローチャートである。
【図４】図１の携帯用通信端末における情報交換方法を説明するためのフローチャートである。
【図５】図１の携帯用通信端末を利用した場合の実施形態２に係るセキュリティシステムの概要を説明するための図である。
【図６】図５のセキュリティシステムにおけるセキュリティ方法を示すフローチャートである。
【図７】図１の携帯用通信端末を利用した場合の実施形態３を説明するためのフローチャートである。
【符号の説明】
【００５６】
１０  電話本体 
１０Ａ〜１０Ｄ  携帯電話 
１０ａ  アンテナ 
１０ｂ  スピーカ 
１０ｃ  表示部 
１０ｄ  キー操作部 
１０ｅ  マイク 
１１  無線通信部 
１２  赤外線送信部 
１３  赤外線受信部 
１４  登録データ管理部 
１５  メモリ 
１６  インタフェース（Ｉ／Ｆ） 
１７  制御部 
２０  赤外線受信器 
２１  プリンタ付きモニタ 
２２  表示部 
２３  プリント出力口 
【図１】
2006140672.tif 000003
【図２】
2006140672.tif 000004
【図３】
2006140672.tif 000005
【図４】
2006140672.tif 000006
【図５】
2006140672.tif 000007
【図６】
2006140672.tif 000008
【図７】
2006140672.tif 000009